(57)【要約】      （修正有）【課題】携帯性および汎用性に優れたうちわを提供する。【解決手段】扇形の半円部分を山折り部Ａ・Ｃ・Ｅ・Ｇ〜Ｌと谷折り部Ｂ・Ｄ・Ｆで折り、二つ折りの２片のカード型の内側にたたみ込み、１片のカード型の１辺にある差し込み部分をもう１片の切り込み部に差し込んで四角形に形成される。【選択図】図１
0003150750.tif 000002
【実用新案登録請求の範囲】
【請求項１】
折り畳まれたカード型長方形の一片にある切り込み口から、もう一片の長方形に付いた一辺の差し込み部分を抜き取り、一枚の展開状態にして、各長方形にある斜罫からそれぞれ内側に折り、各長方形の一辺にある差し込み部分を半円形の扇部分にある２カ所の差し込み口に片方ずつ差し込み形成されるカード型携帯用うちわ
【請求項２】
半円の扇形部分が、折り曲げられた２片の長方形の内側に収納されるカード型の為、キャッシュカードや定期券などと同サイズで制作すれば、カードケースに収納可能になり、また、涼を得る為のうちわに止まらずハガキサイズに制作すれば、暑中見舞ハガキや残暑見舞いハガキにも、さらには、サイズ制限がない為、用途に合わせて制作すれば、祝電報カードや広告の告知などのダイレクトメールとしても使用でき、いろいろな用途に展開できるカード型携帯用うちわ
【考案の詳細な説明】
【技術分野】
【０００１】  本考案は、扇部分が、折り曲げられた２片の長方形の内側に収納できる一体成形からなる安価で制作可能なうちわで、大きさを変えて制作することにより、用途に合わせた幅広い展開が可能な、うちわに関するものである
【背景技術】
【０００２】  現在の一般的なうちわは、竹やプラスチックの骨組みに紙を貼ったものやスポーツ観戦の応援用として音のでるものや電源が仕込まれて光るもの、厚紙を円形に切って丸い穴をあけたもの、いずれも携帯性に欠けたもの、また、扇子のように折り畳まれても嵩張るもの、一部は舞踊の道具として、インテリアの飾りとして、さらに、暑さをしのぐ為だけの道具として制作されている
【考案の開示】
【考案が解決しようとする課題】
【０００３】  うちわとしては、もっと携帯性に優れた形態で、また、うちわや扇子など涼を得る為の道具だけに止まらない汎用性に優れたツールとして開発するものである
【課題を解決するための手段】
【０００４】  本考案は、扇形の半円部分を山折り部と谷折り部で折りながら二つ折りの２片のカード型の内側にたたみ込んで、１片のカード型の１辺にある差し込み部分をもう１片の切り込み部に差し込んで四角形に形成される凹凸の少ない携帯性に優れたカード型携帯用うちわとなり、四角形を成していることにより大きさを変えることでいろいろなものに展開でき、問題解決と目的に達している
【考案の効果】
【０００５】  上述の様に、本考案のカード型携帯用うちわは、開いてうちわとして使用するのは勿論、扇部分を四角形の内側に納めたことによりスッキリとした形になりキャッシュカードと同じサイズに制作すれば、カードケースやポケットに収まり、ハガキサイズで制作すれば、暑中見舞ハガキや残暑見舞いハガキに、また、大きさを変えて制作することにより祝電報カードや販促としてのダイレクトメールなど汎用性に優れたカード型携帯用うちわである
【考案を実施するための最良の形態】
【０００６】  本考案のカード型携帯用うちわは、普段は折り畳まれた四角形のカード状態で携帯するが、使用する時は四角形の一片に差し込まれていたもう一辺の差し込み部分を抜いて、平面に開き伸ばし、両片の四角形にある各折り部分から内側に折り曲げ、半円の扇形部分にある２箇所の切り込み部に、各折り曲げた四角形の一辺を差し込み固定することにより、手に持ちやすくするとともに扇部分が折れ曲がりにくくすることでうちわとして使用しやすくし、また、折り畳む時は、これと逆の順に行えばよい
【実施例】
【０００７】  以下、添付図に従って実施例を説明する。「図３」うちわ状態から１と２の四角形の先の差し込まれている部分４と５をウとエから抜き「図２」、１のＩ部分と２のＪ部分から両辺を開き「図１」、３の半円の扇形部分をＢ、Ｄ、Ｆの谷折り部とＣ、Ｅ、Ｇ、Ｈの山折り部で折り込みながら１と２の部分のＡの山折り部分の内側に収め、１の一辺にある差し込み部４を内側に折り、２の一辺にある差し込み部５を１の切り込みイに差し込む「図４」
【産業上の利用可能性】
【０００８】  本考案のカード型携帯用うちわは、紙のような平面なものを切り抜き折り曲げるだけの簡単なもので安価に制作可能で、折り畳んだ状態が四角形になっている為、大きさを変えることにより、ハガキサイズで制作すれば、暑中見舞ハガキや残暑見舞いハガキに、また祝電報カードや販促としてのダイレクトメールなど汎用性に優れ、アイデア次第では、うちわとしてではなくいろいろと展開可能である
【図面の簡単な説明】
【０００９】
【図１】本考案の展開時の平面図
【図２】本考案のうちわ形態になる為の一辺の折り畳み状態時の平面図
【図３】本考案のうちわ状態時の平面図
【図４】本考案の扇部分を折り畳んだ四角形状態時の平面図
【符号の説明】
【００１０】１                                    長方形（四角形）収納部おもて
２                                    長方形（四角形）収納部うら
３                                    扇部
４                                    差し込み部
５                                    差し込み部
ア                                    穴
イ                                    切り込み部
ウ                                    切り込み部
エ                                    切り込み部
Ａ、Ｃ、Ｅ、Ｇ、Ｈ、Ｉ、Ｊ、Ｋ、Ｌ    山折り部
Ｂ、Ｄ、Ｆ、                          谷折り部
【図１】
0003150750.tif 000003
【図２】
0003150750.tif 000004
【図３】
0003150750.tif 000005
【図４】
0003150750.tif 000006
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
１枚の厚紙などの平面素材から展開するカード型携帯用うちわを形成するもので、下部が長方形（図１の１，２）で、上部が半円形（図１の３）を成すものが連設した形状を有し、うちわとして使用する時の持ち手となる第１第２の部分（図１の１，２）を安定させるための第１第２の差し込み部（図１の４，５）を下部の長方形の左右に１辺ずつ設け、全体の中央やや少し下に半円形部分（図１の３）が蛇腹式に容易に折り畳み込まれる為の穴（図１のア）を設け、うちわとして使用する時の持ち手となる第１第２の部分（図１の１，２）の長方形の上部と半円形（図１の３）の下部の間の左右に切り込み（図１のＧ−ａ〜Ｇ−ｂとＨ−ａ〜Ｈ−ｂ）を設けて、うちわとして使用する時の持ち手となる第１の部分（図１の１）を折り曲げ部分（図１のＩ）から折り曲げ、長方形の第１の差し込み部（図１の４）を半円形の第１の切り込み部（図１のウ）に差し込み、うちわとして使用する時の持ち手となる第２の部分（図１の２）を折り曲げ部分（図１のＪ）から折り曲げ長方形の第２の差し込み部（図１の５）を半円形の第２の切り込み部（図１のエ）に差し込み、うちわとして使用し、携帯するためにカード型にするには、折り曲げたうちわとして使用する時の持ち手となる第１第２の部分（図１の１，２）を元に戻し平面状にし、折り曲げ部分（図１のＧ、Ｈ）から上部の半円形部分（図１の３）を折り曲げながら谷折り部（図１のＢ、Ｄ、Ｆ）と山折り部（図１のＣ、Ｅ）を蛇腹式に折り込みながら同時に、うちわとして使用する時の持ち手となる第１の部分（図１の１）とうちわとして使用する時の持ち手となる第２の部分（図１の２）を長方形の左右中央にある折り曲げ部分（図１のＡ）から折りながら綴じ込み、長方形の第２の差し込み部（図１の５）を長方形の第３の切り込み部（図１のイ）に差し込むことで携帯しやすくなるカード型携帯用うちわ。
【手続補正２】
【補正対象書類名】明細書
【補正対象項目名】０００９
【補正方法】変更
【補正の内容】
【０００９】
【図１】本考案の展開時の平面図
【図２】本考案のうちわ形態になる為の第１の持ち手となる部分の折り畳み状態時の平面図
【図３】本考案のうちわ状態時の平面図
【図４】本考案の半円形部分を折り畳んだ長方形状態時の平面図
【図５】本考案の差し込み部（４、５）と切り込み部（イ、ウ、エ）を削除した状態時の変形例の平面図
【手続補正３】
【補正対象書類名】明細書
【補正対象項目名】００１０
【補正方法】変更
【補正の内容】
【００１０】１                              長方形（持ち手となる第１の部分）
２                              長方形（持ち手となる第２の部分）
３                              半円形（うちわ部分）
４                              第１の差し込み部
５                              第２の差し込み部
ア                              穴
イ                              第３の切り込み部
ウ                              第１の切り込み部
エ                              第２の切り込み部
Ａ、Ｃ、Ｅ、Ｇ、Ｈ、Ｉ、Ｊ、Ｋ、Ｌ    山折り部
Ｂ、Ｄ、Ｆ、                    谷折り部
Ｇ−ａ〜Ｇ−ｂ                  切り込み部
Ｈ−ａ〜Ｈ−ｂ                  切り込み部
【手続補正４】
【補正対象書類名】図面
【補正対象項目名】全図
【補正方法】変更
【補正の内容】
【図１】
0003150750.tif 000007
【図２】
0003150750.tif 000008
【図３】
0003150750.tif 000009
【図４】
0003150750.tif 000010
【図５】
0003150750.tif 000011